(57)【要約】【課題】    定着部を簡単に設けることができ、かつ主筋やフープ筋などのせん断補強筋として容易に配筋することのできる定着部付き鉄筋を提供する。【解決手段】異形鉄筋からなる鉄筋本体１の両端部に定着部としてフック２，２をそれぞれ突設する。鉄筋本体１とフック２は鉄筋コンクリート用棒鋼より一体的に形成する。フック２は鉄筋本体１と一体をなす平板状に、かつ鉄筋本体１の端部を鉄筋本体１の軸線に対してほぼ９０°（直角）に折り曲げて形成する。フック２の板厚と幅Ｗはプレス圧を調整することにより、またフック２の長さＬはプレス長さを調整することにより形成する。【選択図】                図１
2006104785.tif 000002
【特許請求の範囲】
【請求項１】
鉄筋本体と当該鉄筋本体の端部に設けられた定着部とから形成され、前記定着部は前記鉄筋本体の端部から形成され、かつプレス加工と折り曲げ加工によって平板状にかつ前記鉄筋本体の軸線に対して所定の角度に折曲した状態に形成されてなることを特徴とする定着部付き鉄筋。
【請求項２】
直線状に形成された鉄筋本体と当該鉄筋本体の両端部に設けられた定着部とから形成され、前記定着部は前記鉄筋本体の端部から形成され、かつプレス加工と折り曲げ加工によって平板状にかつ前記鉄筋本体の軸線に対して所定の角度に折曲した状態に形成されてなることを特徴とする定着部付き鉄筋。
【請求項３】
定着部は鉄筋本体の軸線に対して９０°〜１８０°の範囲で所定の角度に折曲した状態に形成されてなることを特徴とする請求項１または２記載の定着部付き鉄筋。
【請求項４】
鉄筋本体および定着部は、鉄筋コンクリート用棒鋼からなる丸鋼または異形鉄筋から形成されてなることを特徴とする請求１〜３のいずれかに記載の定着部付き鉄筋。
【発明の詳細な説明】
【技術分野】
【０００１】
本発明は、ＲＣ構造やＳＲＣ構造の柱や梁などに主筋またはせん断補強筋などとして配筋される定着部付き鉄筋に関し、特に定着部の加工と配筋を容易にしたものである。
【背景技術】
【０００２】
例えば、図５（ａ），（ｂ）に図示するように、ＲＣ構造の柱や梁には軸方向に沿って主筋１０が配筋され、また主筋１０の周囲にせん断補強筋１１が環状に配筋されている（閉鎖型配筋）。この場合、一般に主筋１０の端部には、端部をコンクリート中に確実に定着するために主筋１０の軸線に対して１８０度に折り曲げて形成されたフック（図省略）が設けられ、またせん断補強筋１１の端部は、例えば図５（ａ）、（ｂ）に図示するように、両端を溶接するか、あるいは端部に設けたフック１１ｂを主筋１０に巻き掛ける等して定着されている。
【０００３】
また特に、土木分野においては、主筋およびせん断補強筋ともに、建築分野に比べて径の太い鉄筋が多く用いられ、曲げ加工ができない場合があり、そのような場合には、例えば図５（ｃ）に図示するように、フックを設ける代わりに定着プレート１２が別部材として取り付けられることがある。
【特許文献１】特開平８−２６０６１９号公報
【特許文献２】特開平９−８８２４１号公報
【発明の開示】
【発明が解決しようとする課題】
【０００４】
しかし、鉄筋の径が太いと、曲げ加工が非常に困難になる等の課題があり、またせん断補強筋には比較的細い径の鉄筋が用いられるものの、比較的大量に配筋されるため、曲げ加工が非常に煩わしい等の課題がある。さらに、フックを設ける代わりに定着プレート等の別部材を取り付けるとコストが嵩む等の課題がある。
【０００５】
また、梁などのせん断補強筋は、複数の主筋間に環状に巻き架けて配筋されるため（閉鎖型配筋）、しかも場所により非常に密に配筋される場合もあり、さらにＳＲＣ構造の、特に柱と梁との接合部においては、例えば図５（ｄ）に図示するように、せん断補強筋１１は各梁の鉄骨材１３をそれぞれ貫通させて配筋する必要があるため、配筋が非常に面倒になる等の課題があった。
【０００６】
本発明は以上の課題を解決するためになされたもので、定着部を簡単に設けることができ、かつ主筋やフープ筋などのせん断補強筋として容易に配筋することのできる定着部付き鉄筋を提供することを目的とする。
【課題を解決するための手段】
【０００７】
請求項１記載の定着部付き鉄筋は、鉄筋本体と当該鉄筋本体の端部に設けられた定着部とから形成され、前記定着部は前記鉄筋本体の端部から形成され、かつプレス加工と曲げ加工によって平板状にかつ前記鉄筋本体の軸線に対して所定の角度に折曲した状態に形成されてなることを特徴とするものである。
【０００８】
本発明は、主筋やせん断補強筋などとして用いられる鉄筋の端部にプレス加工と曲げ加工を行うだけで、平板状にかつ所定の角度に折曲した状態の定着部を有する定着部付き鉄筋を簡単に提供可能にしたことを特徴とするものである。
【０００９】
この場合、定着部が特にプレス加工と曲げ加工によって形成されることにより定着部の強度が著しく高められるため、ここで加工可能な鉄筋としては、比較的加工の容易な普通強度の鉄筋コンクリート用棒鋼の場合、ＲＣ基準で１８０°曲げ加工の可能な鋼棒はすべて用いることができ、例えばＳＲ２３５〜２９５またはＳＤ２３５〜３９０などを用いることができる。また、高強度鉄筋も熱処理することで用いることができる。
【００１０】
請求項２記載の定着部付き鉄筋は、直線状に形成された鉄筋本体と当該鉄筋本体の両端部に設けられた定着部とから形成され、前記定着部は前記鉄筋本体の端部からプレス加工と折り曲げ加工によって平板状に、かつ前記鉄筋本体の軸線に対して所定の角度に折曲した状態に形成されてなることを特徴とするものである。
【００１１】
本発明は、直線状に形成された鉄筋本体と当該鉄筋本体の両端部に設けられた定着部とから形成され、特に梁などのせん断補強筋として用いることができる。この定着部付き鉄筋を梁などのせん断補強筋として用いれば、両端の定着部を主筋に巻き架けるだけで取り付けることができるため、せん断補強筋の配筋を非常に簡単に行うことができる。
【００１２】
請求項３記載の定着部付き鉄筋は、請求項１または２記載の定着部付き鉄筋において、定着部は鉄筋の軸線に対して９０°〜１８０°の範囲で所定の角度に折曲した状態に形成されてなることを特徴とするものである。定着部が平板状に形成されていることで、鉄筋本体が少々太くても定着部の曲げ加工が非常に簡単になり、任意の角度に自由に形成することができる。
【００１３】
請求項４記載の定着部付き鉄筋は、請求項１〜３のいずれかに記載の定着部付き鉄筋において、鉄筋本体および定着部は鉄筋コンクリート用棒鋼からなる丸鋼または異形鉄筋から形成されてなることを特徴とするものである。特に、普通強度の鉄筋コンクリート用棒鋼を用いることにより、プレス加工および曲げ加工がともに非常に簡単になり、定着部付き鉄筋を簡単に形成することができる。
【発明の効果】
【００１４】
本発明は、主筋やせん断補強筋などとして用いられる鉄筋の端部にプレス加工と曲げ加工を行うだけで、平板状にかつ所定の角度に折曲した状態の定着部を有する定着部付き鉄筋を簡単に提供することができる。
【発明を実施するための最良の形態】
【００１５】
図１と図２は、主にせん断補強筋として用いられる定着部付き鉄筋の一例を示し、異形鉄筋からなる鉄筋本体１の両端部に、定着部としてフック２がそれぞれ突設されている。鉄筋本体１は鉄筋コンクリート用棒鋼から所定の長さを有して直線状に形成され、フック２は特に鉄筋本体１と一体をなす平板状に、かつ鉄筋本体１の軸線に対してほぼ９０°（直角）に折り曲げられた状態に形成されている。
【００１６】
また、フック２は、図２（ａ）〜（ｄ）に図示するように鉄筋本体１の端部を所定の長さに渡って平板状にプレス加工され、かつ鉄筋本体１の軸線に対してほぼ直角に折り曲げられることによって形成されている。なお、フック２の板厚と幅Ｗはプレス圧を調整することにより、またフック２の長さＬはプレス長さを調整することにより任意の寸法に形成されている。
【００１７】
図３（ａ），（ｂ）は、特に定着部の変形例を示し、それぞれ鉄筋本体１の端部に、フック２が鉄筋本体１と一体をなす平板状に、かつ鉄筋本体１の軸線に対してほぼ１３５°または１８０°に折り曲げた状態に形成されている。
【００１８】
この場合のフック２も、図１（ａ），（ｂ）で説明したのと同様に、鉄筋本体１の端部を所定の長さに渡って平板状にプレスし、かつ鉄筋本体１の軸線に対してほぼ１３５°または１８０°に折り曲げることにより形成されている。
【００１９】
図４（ａ）〜（ｂ）は、図１，２で説明した定着部付き鉄筋がＳＲＣ構造の柱と梁との接合部（仕口部）にせん断補強筋（フープ筋）として配筋されている例を示したものであり、せん断補強筋３は柱４の各側面側にそれぞれ配筋されている。
【００２０】
また各せん断補強筋３は、梁の鉄骨材として配置されたＨ形鋼５のウェブ５ａを貫通して配筋され、かつ両端のフック３ａ，３ａを柱４の各コーナ部に配筋された柱４の主筋４ａ，４ａにそれぞれ巻き掛けて取り付けられている。なお、Ｈ形鋼５のウェブ５ａには、せん断補強筋３がフック３ａとともに貫通可能な貫通孔５ｂが横長（水平方向に長軸を有する楕円形の孔）に形成されている。
【００２１】
せん断補強筋３がこのように配筋されていることで、環状に閉鎖型配筋されたこれまでのせん断補強筋に比べて、せん断補強筋３を非常に簡単に配筋することができ、特にＳＲＣ構造では非常に実用性が期待できる。
【産業上の利用可能性】
【００２２】
本発明は、鉄筋の端部にプレス加工と曲げ加工によって所定の角度に折り曲げられた定着部をきわめて簡単に形成することができる。また、体着部は平板状に形成されていることで、鉄筋が密集して配筋されている部分にも比較的容易に配筋することができる。
【図面の簡単な説明】
【００２３】
【図１】せん断補強筋として利用される定着部付き鉄筋を示す正面図である。
【図２】（ａ）〜（ｄ）は、定着部付き鉄筋の加工手順を示す一部正面図である。
【図３】（ａ），（ｂ）は、定着部付き鉄筋の変形例を示す一部正面図である。
【図４】ＳＲＣ構造の柱と梁との接合部にせん断補強筋として定着部付き鉄筋が配筋された例を示し、（ａ）は接合部の横断面図、（ｂ）は縦断面図である。
【図５】せん断補強筋の従来例を示し、（ａ）、（ｂ）、（ｃ）はそれぞれ梁のせん断補強筋の配筋例を示す断面図、（ｄ）は柱のせん断補強筋の配筋例を示す断面図である。
【符号の説明】
【００２４】
１    鉄筋本体
２    フック
３    せん断補強筋（定着部付き鉄筋）
３ａ  フック
４    柱
４ａ  柱の主筋
５    Ｈ形鋼
５ａ  ウェブ
５ｂ  貫通孔
【図１】
2006104785.tif 000003
【図２】
2006104785.tif 000004
【図３】
2006104785.tif 000005
【図４】
2006104785.tif 000006
【図５】
2006104785.tif 000007